(57)【特許請求の範囲】
【請求項１】
露光されて排紙された後の原稿を載置するための画像形成装置の原稿送り装置上の原稿排紙部の構造において、
原稿排紙部の平面状の底面から前記原稿送り装置の開閉軸に対して平行に立ち上がっていて原稿排紙方向に伸びる複数条のリブを設け、前記原稿送り装置の開閉軸から最も離れているリブが他のリブよりも原稿の排紙方向先方に延長されていることを特徴とする画像形成装置の原稿排紙部の構造。
【請求項２】
露光されて排紙された後の原稿を載置するための画像形成装置の原稿送り装置上の原稿排紙部の構造において、
原稿排紙部の平面状の底面から前記原稿送り装置の開閉軸に対して平行に立ち上がっていて原稿排紙方向に伸びる複数条のリブを設け、前記原稿送り装置の開閉軸から最も離れているリブの高さが他のリブの高さよりも高く設定されていることを特徴とする画像形成装置の原稿排紙部の構造。
【請求項３】
リブは少なくとも３条設けてなり少なくとも前記原稿送り装置の開閉軸から最も離れているリブ及び最も近接しているリブ以外の部位に最も低いリブを備えていることを特徴とする請求項２記載の画像形成装置の原稿排紙部の構造。
【請求項４】
リブは少なくとも３条設けてなり互に隣り合った前記原稿送り装置の開閉軸から離れている側のリブの高さが近い側のリブの高さ以上に設定されていることを特徴とする請求項２記載の画像形成装置の原稿排紙部の構造。
【請求項５】
一端が固定され他端が自由端をなして該他端が原稿排紙部の底面に対向している弾性体の板状部材よりなり原稿の排出動作に伴って該他端と原稿排紙部の底面側との間に原稿を受入れてこれを押圧する原稿押え部材を備えたことを特徴とする請求項１記載の画像形成装置の原稿排紙部の構造。
【請求項６】
前記原稿送り装置の開閉軸から最も離れているリブ以外のリブが配列されている領域に原稿押え部材の他端が対向していることを特徴とする請求項５記載の画像形成装置の原稿排紙部の構造。
【請求項７】
一端が固定され他端が自由端をなして該他端が原稿排紙部の底面に対向している弾性体の板状部材よりなり原稿の排出動作に伴って該他端と原稿排紙部の底面側との間に原稿を受入れてこれを押圧する原稿押え部材を備え、該他端が各リブ相互の間の部位に対向していることを特徴とする請求項２記載の画像形成装置の原稿排紙部の構造。
【発明の詳細な説明】
【０００１】
【発明の属する技術分野】
本発明は、複写機，ファクシミリ等の画像形成装置における原稿送り装置の原稿排紙部の構造に関する。
【０００２】
【従来の技術】
複写機の省スペース化への対応策の一つとして、その原稿送り装置は、原稿を一旦ターンした後に露光部まで搬送し、露光後に、更にターンして原稿送り装置の上面に備えた原稿排紙部に排紙してスタックさせる方法が広くとられている。
図１９は本発明に係わる原稿排紙部の従来の構造例を示す正面図である。同図において、10は原稿送り装置で、図示しない下方の複写機本体に対して、同図の原稿送り装置底面奥側を支点として、同図の状態から上方に開けられるようにしている。11は原稿テーブル、12は原稿排紙部である。原稿送り装置10は同図に示すように閉じられた状態において原稿送り装置として機能すると共に、原稿を押えるための圧板としてこれを開閉して使用される。
【０００３】
原稿送り装置１０が同図に示すように閉められた状態において、原稿テーブル１１上に載置された原稿は、同図の左方に向けて給紙され、一旦ターンした後に下方に搬送されて露光され、そして右方向に搬送されて更にターンして原稿排紙部１２に排紙されてスタックされる。原稿排紙部１２においては、排紙された原稿がその底面部における平面と接触すると静電気が発生して原稿が該底面部にはりつくという問題が生ずるので、これを防止するために原稿排紙部１２はその底面部に、原稿の排紙方向に伸びる複数条のリブ１３を配設している。該各リブ１３は高さｈが互に且つ長手方向に一様になっている。
【０００４】
【発明が解決しようとする課題】
しかしながら上記の原稿送り装置１０が圧板として使用される際に開閉されると、閉めるときにその遠心力によって原稿が原稿送り装置１０から落下することがある。又、原稿送り装置として使用される場合にも、複写機の設置場所や原稿排紙時における静電気等の影響で、排紙された原稿が原稿排紙部１０から落下することがある。
【０００５】
本発明は、上記の課題を解決するために、原稿排紙部のリブ等を適正化することによって、原稿排紙部から原稿が落下することを防止して原稿のスタック性能を向上させることを目的とする。
【０００６】
【課題を解決するための手段】
上記目的達成のために請求項１記載の発明は、露光されて排紙された後の原稿を載置するための画像形成装置の原稿送り装置上の原稿排紙部の構造において、原稿排紙部の平面状の底面から前記原稿送り装置の開閉軸に対して平行に立ち上がっていて原稿排紙方向に伸びる複数条のリブを設け、前記原稿送り装置の開閉軸から最も離れているリブが他のリブよりも原稿の排紙方向先方に延長されていることを特徴とするものである。
【０００７】
そして請求項２記載の発明は、原稿排紙部が請求項１記載のリブに代えて複数条のリブを設け、原稿送り装置の開閉軸から最も離れているリブの高さが他のリブの高さよりも高く設定されていることを特徴とするものである。
そして請求項３記載の発明は、請求項２記載の原稿排紙部が、少なくとも原稿送り装置の開閉軸から最も離れているリブ及び最も近接しているリブ以外の部位に最も低いリブを備えていることを特徴とするものである。
【０００８】
そして請求項４記載の発明は、請求項２記載の原稿排紙部において、互に隣り合った原稿送り装置の開閉軸から離れている側のリブの高さが近い側のリブの高さ以上に設定されていることを特徴とするものである。
そして請求項５記載の発明は、請求項１記載の原稿排紙部において、一端が固定され他端が自由端をなして該他端が原稿排紙部の底面に対向している弾性体の板状部材よりなり原稿の排出動作に伴って該他端と原稿排紙部の底面側との間に原稿を受入れてこれを押圧する原稿押え部材を備えたことを特徴とするものである。
【０００９】
そして請求項６記載の発明は、請求項５記載の原稿排紙部において、最前列のリブ以外のリブが配列されている領域に原稿押え部材の他端が対向していることを特徴とするものである。
そして請求項７記載の発明は、請求項２記載の原稿排紙部に、請求項５記載の原稿押え部材を備え、その他端が各リブ相互の間の部位に対向していることを特徴とするものである。
【００１０】
【発明の実施の形態】
以下、本発明の実施の形態について添付図面を参照しつつ説明する。図１は本発明の実施の形態例を示す原稿送り装置の構成図である。
図１において、20は複写機本体、30は同図の底面奥側に開閉軸を有する原稿送り装置、31は図１９におけると同様な原稿テーブル、32は原稿給紙部、33は原稿分離部、34は搬送部、35はコンタクトガラス、36は反転部、37はリターン部、38は原稿排紙部、39は原稿排紙部38の平面状の底面から原稿送り装置30の開閉軸に対して平行に立ち上がって原稿排紙方向に伸びるリブである。原稿送り装置30は、原稿テーブル31上の複数の原稿を原稿分離部33によって一枚毎に分離して、コンタクトガラス35上に搬送し、露光された後に、反転部36，リターン部37を介して原稿排紙部38上に排紙してスタックする。
【００１１】
上記の原稿給紙部３２は、呼び出しコロ４０と、押えレバー４１と、原稿セット検知フィラー４２と、原稿セットセンサ４３と、原稿ストッパ４４等よりなる。そして原稿分離部３３は、分離コロ４５と、分離ベルト４６と、分離ベルト駆動コロ４７と、分離ベルト従動コロ４８と、サイズ検知センサ４９と、プルアウト駆動コロ５０と、プルアウト従動コロ５１と、レジストセンサ５２等よりなる。そして搬送部３４は、搬送ベルト５３と、搬送ベルト駆動ローラ５４と、搬送ベルト従動ローラ５５と、搬送ベルト固定コロ５６と、搬送ベルト押えコロ５７と、基準スケール５８等よりなる。そして反転部３６は、反転駆動コロ５９と、反転入口従動コロ６０と、反転排紙センサ６１等よりなる。そしてリターン部３７は、ガイドコロ６２と、切換爪６３と、反転出口従動コロ６４と、排紙駆動コロ６５と、排紙従動コロ６６等よりなる。
【００１２】
図２は本発明の第１の実施の形態例を示す原稿排紙部の斜視図であり、請求項１の発明に対応させている。
図２において、７０は図１における原稿排紙部３８に代えて構成される原稿排紙部で、平面状の底面から原稿送り装置３０の開閉軸に対して平行に立ち上がって原稿排紙方向に伸びる複数条のリブ７１Ａ，７１Ｂ，７１Ｃを配設している。そして原稿送り装置３０の開閉軸から最も離れているリブ７１Ａ、すなわち最前列のリブ７１Ａが他のリブ７１Ｂ，７１Ｃよりも原稿の排紙方向先方に延長されている。尚、該各リブ７１Ａ，７１Ｂ，７１Ｃは図１９におけると同様な高さｈが互に且つ長手方向に一様になっている。
【００１３】
図３は本発明の各実施の形態による原稿排紙部のリブの高さ形状例を示す図であリ、例えば図２において原稿排紙部７０の各リブが図１９におけると同様に長手方向に一様な高さｈを有しているのに代えて、図３に示すように原稿排紙部３８のリブ３９が、長手方向の中間部に頂部を有して左右に傾斜した形状になっていてもよいことを示している。以降、原稿排紙部の底面に対する該頂部の高さをｈで表す。尚、図１には図３の原稿排紙部３８を示している。
【００１４】
図４は図２の構成による原稿排紙部７０上に原稿Ｐが排紙された状態を示す図であリ、そして図５は原稿Ｐが比較的に小さい場合のＡ−Ａ矢視断面図、図６は原稿Ｐが比較的に大きい場合のＡ−Ａ矢視断面図である。図２，図４，図５を参照し、最前列のリブ７１Ａが他のリブ７１Ｂ，７１Ｃよりも先方に延長されているので、比較的に幅の狭い原稿Ｐが排紙されたときには、原稿Ｐの先端がリブ７１Ｂ，７１Ｃの終端よりも先方に進んだ状態で、リブ７１Ａがガイドの役目を果たして、原稿Ｐが前方に寄って落下するという問題がなくなる。又、比較的に幅の広い原稿Ｐに対しても、図６に示すように、原稿Ｐが同様に進んだ状態で側端部がリブ７１Ａに乗り上げて前方に上昇した状態に傾斜するので、原稿Ｐの落下が防止される。よって各サイズの原稿Ｐに対してスタック性能が向上する。尚、図２においては他のリブ７１Ｂ，７１Ｃの長さを互に同等にしているが、必ずしも同等でなくてもよい。
【００１５】
図７は本発明の第２の実施の形態例を示す原稿排紙部の斜視図、図８は図７の断面図であり、請求項２の発明に対応させている。
図７，図８において、８０は図１における原稿排紙部３８に代えて構成される原稿排紙部で、平面状の底面から立ち上がって原稿排紙方向に伸びる複数条のリブ８１Ａ，８１Ｂ，８１Ｃを配設している。そして最前列のリブ８１Ａの高さが他のリブ８１Ｂ，８１Ｃよりも高く形成されている。最前列のリブ８１Ａは搬送用としての一つのリブであるが、比較的に幅の狭い原稿に対してはフェンスとしての役目を果たして原稿Ｐが前方にずれて落下することを防止する。そして図８に示すように、比較的に幅の広い原稿Ｐに対しても、原稿Ｐの端部がリブ８１Ａに乗り上げて前方に上昇した状態に傾斜するので、原稿Ｐの落下が防止される。よって各サイズの原稿Ｐに対してスタック性能が向上する。尚、図７においては各リブ８１Ａ，８１Ｂ，８１Ｃの長さを互に同等にしているが、必ずしも同等でなくてもよい。
【００１６】
図９，図１０は本発明の第３の実施の形態例を示す原稿排紙部の断面図であり、請求項３の発明に対応させている。
図９，図１０において、90，100はそれぞれ図１における原稿排紙部38に代えて構成される原稿排紙部で、図９に示す原稿排紙部90は平面状の底面から立ち上がって原稿排紙方向に伸びる３条のリブ91Ａ，91Ｂ，91Ｃを配設している。そして最前列のリブ91Ａの高さが最も高く、中央部のリブ91Ｂの高さが他のリブ91Ａ，91Ｃよりも低く形成されている。原稿Ｐは中央部が低く前後が高くなった形状に湾曲してスタックされるので、スタックの際のずれ及び原稿落下が防止される。そして図１０に示す原稿排紙部100は最前列のリブ101Ａの高さが最も高く、中央部のリブ101Ｄの高さを最も低く設定し、その前列側及び前記原稿送り装置30の開閉軸に近接している側、すなわち後列側のリブを順次同等以上の高さにして、多数のリブ101Ａ〜101Ｇを配設している。よって特に中央基準の原稿送り装置に対して原稿Ｐが同様に湾曲されて、種々のサイズの原稿のスタック性能を向上させることが可能になる。
【００１７】
図１１は本発明の第４の実施の形態例を示す原稿排紙部の断面図であり、請求項４の発明に対応させている。
図１１において、１１０は図１における原稿排紙部３８に代えて構成される原稿排紙部で、平面状の底面から立ち上がって原稿排紙方向に伸びる多数のリブ１１１Ａ〜１１１Ｆを配設している。そして最前列のリブ１１１Ａの高さを最も高く、後列側のリブ１１１Ｂ〜１１１Ｆを順次低く設定している。よって特に端基準の原稿送り装置において、種々のサイズの原稿のスタック性能を向上させることが可能になる。
【００１８】
尚、上記の各図に示したリブの断面形状は長方形にしているがこれを台形や丸型にしてもよい。
図１２は本発明の第５の実施の形態例を示す原稿排紙部の斜視図、図１３は図１２の正面断面図、図１４は図１２の要部分解斜視図であり、請求項５の発明に対応させている。
【００１９】
図１２，図１３，図１４において、１２０は図２における原稿排紙部７０に代えて構成される原稿排紙部で、図２における複数条のリブ７１Ａ，７１Ｂ，７１Ｃを配設している。１２１はマイラ等の弾性体の板状部材よりなる長方形の原稿押え部材で、一端がブラケット１２２を介して原稿テーブル３１に固定され他端が自由端をなして該他端が原稿排紙部１２０の底面に対向していて、原稿Ｐの排出動作に伴って該他端と原稿排紙部１２０の底面側との間に原稿Ｐを受入れて、これを押圧するようにしている。リブ７１Ａ，７１Ｂ，７１Ｃのようにこれらが互に同等の高さの場合には、比較的に幅の広い原稿Ｐの端部が最前列のリブ７１Ａ上に乗っていて、前方にずれて落下する可能性があるが、原稿押え部材１２１によって原稿Ｐが押え付けられるので原稿落下が防止される。よって原稿Ｐに対するスタック性能が図２の構成におけるよりも更に向上する。
【００２０】
図１５，図１６は本発明の第６の実施の形態例を示す原稿排紙部の側面断面図であり、請求項６の発明に対応させている。
上記の図１５は図１２の原稿排紙部１２０を示しており、この場合の原稿押え部材１２１はその他端が、最前列のリブ７１Ａ以外のリブ７１Ｂ，７１Ｃ相互間に対向している。そして図１６の原稿排紙部１３０はその原稿押え部材１３１の他端が、最前列のリブ７１Ａ以外のリブ７１Ｂに対向している。原稿押え部材１２１，１３１を図１５又は図１６に示すように、最前列のリブ７１Ａ以外のリブ７１Ｂ，７１Ｃが配列されている領域に対向させておくことによって、図１５においては原稿が、リブ７１Ｂと７１Ｃとで支えられてリブ７１Ｂ，７１Ｃ間において底面側に押込まれた状態で、原稿押え部材１２１と底面との間に挟み込まれるため、また図１６においては、原稿押え部材１３１と、これに対向しているリブ７１Ｂとで直接に原稿が挟み込まれるため、図１２，図１３，図１４に対して述べた効果が確実に得られる。
【００２１】
図１７，図１８は本発明の第７の実施の形態例を示す原稿排紙部の側面断面図であり、請求項７の発明に対応させている。
上記の図１７の原稿排紙部１４０のリブ１４１Ａ〜１４１Ｆは図１０におけると同様に配列され、そして図１８の原稿排紙部１５０のリブ１５１Ａ〜１５１Ｆは図１１におけると同様に配列されている。そして原稿押え部材１４２，１５２がそれぞれ、各リブ１４１Ａ〜１４１Ｆ又は１５１Ａ〜１５１Ｆの隣り合った相互の間の部位に対向している。図１０，図１１の構成に対して原稿押え部材１４２，１５２をそれぞれ付加したことによって、原稿がリブ１４１Ｃと１４１Ｄあるいは１５１Ｃと１５１Ｄとで支えられて、リブ１４１Ｃ，１４１Ｄ間あるいは１５１Ｃ，１５１Ｄ間において底面側に押込まれた状態で、原稿押え部材１４２あるいは１５２と底面との間に挟み込まれるため、種々のサイズの原稿のスタック性能を更に向上させることが可能になる。
【００２２】
【発明の効果】
請求項１記載の発明によれば、原稿排紙部の平面状の底面から立ち上がっていて原稿排紙方向に伸びる複数条のリブを設け、最前列のリブが他のリブよりも先方に延長されているので、比較的に幅の狭い原稿が排紙されたときには最前列のリブがガイドの役目を果たして、原稿が前方に落下するという問題がなくなリ、又、比較的に幅の広い原稿に対しても、原稿の端部がリブに乗り上げて前方に上昇した状態に傾斜するので原稿の落下が防止されて、原稿のスタック性能が向上する。
【００２３】
そして請求項２記載の発明によれば、原稿排紙部における最前列のリブの高さが他のリブの高さよりも高く設定されているので、比較的に幅の狭い原稿に対しては最前列のリブがフェンスとしての役目を果たして原稿が前方にずれて落下することが防止され、比較的に幅の広い原稿に対しても、原稿の側端部が該リブに乗り上げて前方に上昇した状態に傾斜するので、原稿の落下が防止される。よって各サイズの原稿Ｐに対してスタック性能が向上する。
【００２４】
そして請求項３記載の発明によれば、原稿排紙部は最前列及び最後列以外の部位に最も低いリブを備えているので、原稿は中央部が低く前後が高くなった形状に湾曲してスタックされて、スタックの際のずれ及び原稿落下が防止され、よって特に中央基準の原稿送り装置に対して種々のサイズの原稿のスタック性能を向上させることが可能になる。
【００２５】
そして請求項４記載の発明によれば、原稿排紙部における互に隣り合った前列のリブの高さが後列のリブの高さ以上に設定されているので、請求項２における効果に加えて、特に端基準の原稿送り装置において種々のサイズの原稿のスタック性能を向上させることが可能になる。
そして請求項５記載の発明によれば、請求項１記載の構成に加えて、原稿の排出動作に伴って原稿を原稿排紙部の底面側との間に受入れてこれを押圧するようにした原稿押え部材を備えたので、原稿押え部材によって原稿が押え付けられて原稿落下が防止され、よって請求項１における効果に加えて、原稿に対するスタック性能が更に向上する。
【００２６】
そして請求項６記載の発明によれば、最前列のリブ以外のリブが配列されている領域に原稿押え部材の他端を対向させているので、請求項５による効果が確実に得られる。
そして請求項７記載の発明によれば、請求項２記載の構成に加えて、請求項５記載の原稿押え部材を備え、原稿押え部材の他端を各リブ相互の間の部位に対向させているので、請求項２における効果に加えて、原稿に対するスタック性能が更に向上する。
【図面の簡単な説明】
【図１】本発明の実施の形態例を示す原稿送り装置の構成図である。
【図２】本発明の第１の実施の形態例を示す原稿排紙部の斜視図である。
【図３】本発明の各実施の形態による原稿排紙部のリブの高さ形状例を示す図である。
【図４】図２の構成による原稿排紙部上に原稿が排紙された状態を示す図でる。
【図５】原稿が比較的に小さい場合の図４のＡ−Ａ矢視断面図である。
【図６】原稿が比較的に大きい場合の図４のＡ−Ａ矢視断面図である。
【図７】本発明の第２の実施の形態例を示す原稿排紙部の斜視図である。
【図８】図７の断面図である。
【図９】本発明の第３の実施の形態例を示す原稿排紙部の断面図である。
【図１０】本発明の第３の実施の形態例を示す原稿排紙部の断面図である。
【図１１】本発明の第４の実施の形態例を示す原稿排紙部の断面図である。
【図１２】本発明の第５の実施の形態例を示す原稿排紙部の斜視図である。
【図１３】図１２の正面断面図である。
【図１４】図１２の要部分解斜視図である。
【図１５】本発明の第６の実施の形態例を示す原稿排紙部の側面断面図である。
【図１６】本発明の第６の実施の形態例を示す原稿排紙部の側面断面図である。
【図１７】本発明の第７の実施の形態例を示す原稿排紙部の側面断面図である。
【図１８】本発明の第７の実施の形態例を示す原稿排紙部の側面断面図である。
【図１９】本発明に係わる原稿排紙部の従来の構造例を示す正面図である。
【符号の説明】
１０    原稿送り装置
１１    原稿テーブル
１２    原稿排紙部
１３，３９，７１Ａ，７１Ｂ，７１Ｃ，８１Ａ，８１Ｂ，８１Ｃ，９１Ａ，９１Ｂ，９１Ｃ，１０１Ａ〜１０１Ｇ，１１１Ａ〜１１１Ｆ，１４１Ａ〜１４１Ｆ，１５１Ａ〜１５１Ｆ    リブ
２０    複写機本体
３０    原稿送り装置
３１    原稿テーブル
３２    原稿給紙部
３３    原稿分離部
３４    搬送部
３５    コンタクトガラス
３６    反転部
３７    リターン部
３８，７０，８０，９０，１００，１１０，１２０，１３０，１４０，１５０    原稿排紙部
４０    呼び出しコロ
４１    押えレバー
４２    原稿セット検知フィラー
４３    原稿セットセンサ
４４    原稿ストッパ
４５    分離コロ
４６    分離ベルト
４７    分離ベルト駆動コロ
４８    分離ベルト従動コロ
４９    サイズ検知センサ
５０    プルアウト駆動コロ
５１    プルアウト従動コロ
５２    レジストセンサ
５３    搬送ベルト
５４    搬送ベルト駆動ローラ
５５    搬送ベルト従動ローラ
５６    搬送ベルト固定コロ
５７    搬送ベルト押えコロ
５８    基準スケール
５９    反転駆動コロ
６０    反転入口従動コロ
６１    反転排紙センサ
６２    ガイドコロ
６３    切換爪
６４    反転出口従動コロ
６５    排紙駆動コロ
６６    排紙従動コロ
１２１，１３１，１４２，１５２    原稿押え部材
１２２    ブラケット
【図１】
0003544054.tif 000002
【図２】
0003544054.tif 000003
【図３】
0003544054.tif 000004
【図４】
0003544054.tif 000005
【図５】
0003544054.tif 000006
【図６】
0003544054.tif 000007
【図７】
0003544054.tif 000008
【図８】
0003544054.tif 000009
【図９】
0003544054.tif 000010
【図１０】
0003544054.tif 000011
【図１１】
0003544054.tif 000012
【図１２】
0003544054.tif 000013
【図１３】
0003544054.tif 000014
【図１４】
0003544054.tif 000015
【図１５】
0003544054.tif 000016
【図１６】
0003544054.tif 000017
【図１７】
0003544054.tif 000018
【図１８】
0003544054.tif 000019
【図１９】
0003544054.tif 000020